(57)【要約】【課題】作業性の向上と壁に対する家具の固定強度を向上できる家具用固定具を提供する。【解決手段】家具の背板と壁の間に配置され、一部が背板から正面方向に突出する当て部材と、家具の内側壁に一端が固定され、他端が前記当て部材の一部と係合する受け部材とから成る家具用固定具であって、前記当て部材は、所定の厚さを有した基台部と、前記基台部から突出形成された係合突部とを備え、前記受け部材は、前記係合突部を係合する凹溝を備えた係止壁と、該係止壁と直角に形成された固定壁とを備えたので、作業性が向上すると共に、壁に対する家具の固定強度を向上することができる。【選択図】図１
2014033919.tif 000002
【特許請求の範囲】
【請求項１】
家具の背板と壁の間に配置され、一部が背板から正面方向に突出する当て部材と、家具の内側壁に一端が固定され、他端が前記当て部材の一部と係合する受け部材とから成る家具用固定具であって、
前記当て部材は、所定の厚さを有した基台部と、前記基台部から突出形成された係合突部とを備え、
前記受け部材は、前記係合突部を係合する凹溝を備えた係止壁と、該係止壁と直角に形成された固定壁とを備えたことを特徴とする家具用固定具。
【請求項２】
前記当て部材に形成された係合突部は、略円筒状をしており、先端近傍に環状の係合溝を有することを特徴とする請求項１に記載の家具用固定具。
【請求項３】
前記当て部材に形成された係合突部は、外周に前記背板を抜け止めするための断面略楔形の返し爪を有すると共に、軸心にビス孔を有することを特徴とする請求項１または２に記載の家具用固定具。
【請求項４】
前記受け部材に形成された凹溝は、前記係止壁の背面側及び上面側に開口しており、底部で半円形に形成されたことを特徴とする請求項１〜３の何れか１に記載の家具用固定具。
【請求項５】
前記受け部材に形成された凹溝は、前記係合突部に形成された係合溝と係合する突条を有することを特徴とする請求項１〜４の何れか１に記載の家具用固定具。
【発明の詳細な説明】
【技術分野】
【０００１】
この発明は、天袋用キャビネット等の家具を壁面に直接固定するために用いられる家具用固定具に関するものである。
【背景技術】
【０００２】
一般に天袋用キャビネット等の家具は、背板と壁との間に当て木（当て部材）を配置し、Ｌ字金具等を使用して一方のビスで背板を貫通して壁に固定し、他方のビスでキャビネットの底板或いは側板と固定することにより取り付けていた。
また、専用の取付金具を使用する例としては、キャビネットの側板に係止アームを有する取付本体をネジで固定すると共に、前記係止アームに挿入される挿入部分を有した固定部材を壁に固定する。そして、家具側の係止アームを固定部材の挿入部分に差し込むことで、家具を固定する取付金具が開示されている（特許文献１）。
また、別の取付具を使用する例としては、直交配置された側片と背片とから成る取付具の側片側に係合突起を設けると共に、背片側にネジ用の貫通孔を設け、前記係合突起をキャビネット側板に形成した嵌合孔に圧入した後、キャビネットの背板と壁の間に補強板を介して前記貫通孔からネジ留めして家具を固定する取付具が開示されている（特許文献２）。
【先行技術文献】
【特許文献】
【０００３】
【特許文献１】特許第２６５４４５７号公報
【特許文献２】特許第３５７２０５１号公報
【発明の概要】
【発明が解決しようとする課題】
【０００４】
しかし、従来の背板と壁との間に当て木を配置しＬ字金具で固定するものでは、当て木がずれたり、落下しないように背板に接着剤で予め接着して置かなくてはならず、作業性が悪い上に、コストが嵩むものであった。
また、従来の特許文献１の場合では、家具側の係止アームを固定部材の挿入部分に差し込まなければならず、作業性が悪かった。更に、目隠し的意味合いしか有しない、薄い背板を壁に固定している為に、壁に対する家具の固定強度が低下する虞があった。
また、特許文献２の取付具では、キャビネットの背板と壁の間に配置する補強板を接着剤で予め接着して置く場合に作業性が悪い上に、コストが嵩むものであった。更に、補強板を作業者が直接見ることができないので、接着剤で予め接着しておかない場合、補強板がずれた状態でネジ留めする可能性があり、キャビネットが壁から脱落する虞も存在した。また、ネジ留め時の力で背板が歪む可能性もあった。
【０００５】
この発明は、上記したような不都合を解消する為になされたもので、家具の背板と壁の間に配置され、一部が背板から正面方向に突出する当て部材と、家具の内側壁に一端が固定され、他端が前記当て部材の一部と係合する受け部材とから成る家具用固定具であって、前記当て部材は、所定の厚さを有した基台部と、前記基台部から突出形成された係合突部とを備え、前記受け部材は、前記係合突部を係合する凹溝を備えた係止壁と、該係止壁と直角に形成された固定壁とを備えることにより、当て部材と固定ビスが位置ずれすることなく家具を固定できる家具用固定具を提供するものである。
【課題を解決するための手段】
【０００６】
この発明は、以下のような内容である。
（１）上記目的を達成するため、本発明は家具の背板と壁の間に配置され、一部が背板から正面方向に突出する当て部材と、家具の内側壁に一端が固定され、他端が前記当て部材の一部と係合する受け部材とから成る家具用固定具であって、前記当て部材は、所定の厚さを有した基台部と、前記基台部から突出形成された係合突部とを備え、前記受け部材は、前記係合突部を係合する凹溝を備えた係止壁と、該係止壁と直角に形成された固定壁とを備えたことを特徴とする。
（２）また、前記当て部材に形成された係合突部は、略円筒状をしており、先端近傍に環状の係合溝を有することを特徴とする。
（３）前記当て部材に形成された係合突部は、外周に前記背板を抜け止めするための断面略楔形の返し爪を有すると共に、軸心にビス孔を有することを特徴とする。
（４）前記受け部材に形成された凹溝は、前記係止壁の背面側及び上面側に開口しており、底部で半円形に形成されたことを特徴とする。
（５）前記受け部材に形成された凹溝は、前記係合突部に形成された係合溝と係合する突条を有することを特徴とする。
【発明の効果】
【０００７】
この発明によれば、家具の背板と壁の間に配置され、一部が背板から正面方向に突出する当て部材と、家具の内側壁に一端が固定され、他端が前記当て部材の一部と係合する受け部材とから成る家具用固定具であって、前記当て部材は、所定の厚さを有した基台部と、前記基台部から突出形成された係合突部とを備え、前記受け部材は、前記係合突部を係合する凹溝を備えた係止壁と、該係止壁と直角に形成された固定壁とを備えたので、当て部材を予め背板に接着剤で接着しておく必要がなく、作業性を向上することができる。また、当て部材と受け部材を仮留めした後、固定ビスで本止めできるので、壁に家具を強固に固定できる。更に、薄い背板が曲がったり、割れる虞がない。
また、前記当て部材に形成された係合突部は、略円筒状をしており、先端近傍に環状の係合溝を有するので、家具を仮留めした後、ビスで固定することができ作業性を向上できる。
また、前記当て部材に形成された係合突部は、外周に前記背板を抜け止めするための断面略楔形の返し爪を有すると共に、軸心にビス孔を有するので、壁に背板及び受け部材を直接固定することができる。
また、前記受け部材に形成された凹溝は、前記係止壁の背面側及び上面側に開口しており、底部で半円形に形成されたので、係合突部を上からスライドしてセットできると共に、底部で停止すればそのままビス孔位置が一致してビス固定できる。
また、前記受け部材に形成された凹溝は、前記係合突部に形成された係合溝と係合する突条を有するので、凹溝と係合突部が抜けることなくスライドしてセットすることができる。
【図面の簡単な説明】
【０００８】
【図１】図１は、本発明の一実施形態を示す家具用固定具をキャビネットの背板と底板に取付ける手順を示す斜視図である。
【図２】図２は、同家具用固定具の取付け手順を示す斜視図である。
【図３】図３は、同家具用固定具を構成する当て部材を背板に取付ける手順を示す説明図である。
【図４】図４は、同家具用固定具を構成する当て部材の斜視図である。
【図５】図５は、同当て部材の正面図である。
【図６】図６は、同当て部材の側面図である。
【図７】図７は、同当て部材の平面図である。
【図８】図８は、同当て部材の背面図である。
【図９】図９は、同当て部材と受け部材を係合させた状態を示す斜視図である。
【図１０】図１０は、同家具用固定具を構成する受け部材を示す斜視図である。
【図１１】図１１は、同受け部材を示す正面図である。
【図１２】図１２は、同受け部材を示す側面図である。
【図１３】図１３は、同受け部材を示す平面図である。
【図１４】図１４は、同受け部材を示す背面図である。
【図１５】図１５は、同受け部材を示す底面図である。
【図１６】図１６は、家具の背板に当て部材と受け部材を取付けた状態を示す説明図である。
【図１７】図１７は、背板に当て部材と受け部材を取付けた後、キャビネットに形成した取付溝に挿入する状態を示す説明図である。
【図１８】図１８は、同家具用固定具をキャビネットの背板と側板に取付けた状態を示す説明図である。
【発明を実施するための形態】
【０００９】
本発明の家具用固定具は、家具の背板と壁の間に配置され、一部が背板から正面方向に突出する当て部材と、家具の内側壁に一端が固定され、他端が前記当て部材の一部と係合する受け部材とから成る家具用固定具であって、前記当て部材は、所定の厚さを有した基台部と、前記基台部から突出形成された係合突部とを備え、前記受け部材は、前記係合突部を係合する凹溝を備えた係止壁と、該係止壁と直角に形成された固定壁とを備えたので、当て部材と固定ビスの位置ずれを防止して、作業性の向上と壁に対する家具の固定強度を向上できる。
【実施例１】
【００１０】
以下、一実施の形態を示す図面に基づいて本発明を詳細に説明する。図１は本発明の一実施形態を示す家具用固定具をキャビネットの背板と底板に取付ける手順を示す斜視図、図２は家具用固定具の取付け手順を示す斜視図、図３は家具用固定具を構成する当て部材を背板に取付ける手順を示す説明図である。ここで家具用固定具１０は、家具の背板１１と壁の間に配置され、一部が背板１１から正面方向に突出する当て部材１２と、家具の内側壁に一端が固定され、他端が前記当て部材の一部と係合する受け部材１３とから成り、当て部材１２は、所定の厚さを有した基台部１４と、基台部１４から突出形成された係合突部１５とを備え、前記受け部材１３は、前記係合突部１５を係合する凹溝１６を備えた係止壁１７と、該係止壁１７と直角に形成された固定壁１８とを備えている。
【００１１】
当て部材１２は、図４〜図８に示すように、合成樹脂等から形成された所定の厚さＴを有した基台部１４と、この基台部１４から突出形成された係合突部１５とを有している。なお、Ｔは家具の底板２６及び側板２７の奥端から挿入溝２８までの寸法と略等しい。基台部１４は、上端が半円形をしており、背面側に複数の空洞１２ａを有している。また、係合突部１５は、略円筒状をしており、先端近傍に環状の係合溝１９が形成されている。更に、係合突部１５の外周に背板１１を抜け止めするための断面略楔形の返し爪２０が等間隔に形成される共に、軸心にビス孔２１が形成されている。
【００１２】
受け部材１３は図１０〜図１５に示すように合成樹脂等から形成され、当て部材１２に形成された係合突部１５を係合する凹溝１６を備えた係止壁１７と、該係止壁１７と直角に形成された固定壁１８とを備えている。また、受け部材１３に形成された凹溝１６は、係止壁１７の背面側及び上面側に開口しており、底部１６ａで半円形に形成されている。更に、凹溝１６は、係合突部１５に形成された係合溝１９と係合する突条２２を有している。そして、係止壁１７の底部１６ａの中心に固定用のビス孔２３が形成されると共に、固定壁１８にも固定用のビス孔２４が形成されている。
【００１３】
以上のように構成された家具用固定具１０の使用手順について説明する。先ず、図３に示すように背板１１に形成された取付孔２５に当て部材１２の係合突部１５を挿入する。背板１１を挿入すると、返し爪２０によって抜け止めされて、図３（ｃ）に示すように当て部材１２が背板１１の所定位置に仮固定される。
一方、受け部材１３は、底板２６の所定の位置にビス孔２４に固定ビスを螺合することにより固定する。然る後、図１に示すように家具の底板２６及び側板２７に形成された挿入溝２８に背板１１を上から挿入すると共に、底板２６上に固定した受け部材１３の凹溝１６に当て部材１２の係合突部１５が係合するようにする。係合突部１５が凹溝１６に係合することで受け部材１３のビス孔２１と当て部材１２のビス孔２３の位置が一致し、ここに固定ビスをねじ込むと、底板２６、背板１１が壁に固定される。
【００１４】
このようにして家具を当て部材１２及び受け部材１３で固定した場合、背板１１の背後に配置された当て部材１２の位置がずれること無く固定できるので、薄い背板が湾曲したり、割れる虞がない。また、受け部材１３の固定壁１８に形成したビス孔２４がビスの位置を定めるので、予め底板２６に仮孔を加工する必要がない。更に、当て部材１２を背板１１に接着剤で固定する必要もない。
【００１５】
また、別の固定手順として、図３に示すように背板１１に形成された取付孔２５に当て部材１２の係合突部１５を挿入して仮固定する。然る後、背板１１の正面側に突出した係合突部１５に受け部材１３の凹溝１６を係合することにより、当て部材１２と受け部材１３を仮留めする。その後、家具の底板２６及び側板２７に形成された挿入溝２８に背板１１を上から挿入する。この状態で受け部材１３のビス孔２３及びビス孔２４に固定ビスをねじ込んで壁と固定すると共に、ビス孔２４に固定ビスをねじ込んで底板２６と固定する。また、ビス孔２４は、案内孔を兼ねるので、底板２６に仮孔加工する必要がない。
【００１６】
図１６〜図１８は、本発明の他の実施形態を示すものである。本実施の形態において、背板１１に形成された取付孔２５に当て部材１２の係合突部１５を挿入して当て部材１２を取付る。そして、背板１１の正面側に突出した係合突部１５に受け部材１３の凹溝１６を係合して仮留めする。なお、受け部材１３の固定壁１８は、家具の底板２６ではなく側板２７方向に向けておく。この状態で、家具の底板２６及び側板２７に形成された挿入溝２８に背板１１を上から挿入した後、受け部材１３のビス孔２３及びビス孔２４に固定ビスを螺込んで固定する。
【００１７】
このように構成した場合、家具は側板２７と背板１１を介して壁に固定することができる。したがって、家具の取付向きを横向きに取付ることもできる。
【００１８】
この様に本発明の家具用固定具１０は、家具の底板２６や側板２７にビス挿入のための仮孔加工する必要がなく、取付作業の効率化が可能である。また、背板と壁との間に当て木を接着剤で予め接着する必要がなく、経済的である。更に、当て部材１２と受け部材１３を係合することにより、ビスの通過するビス孔２１及びビス孔２３の位置が決まるので、固定ビスの位置がずれる虞がない。
【００１９】
なお、以上の実施例では、係止壁と固定壁とが直角に形成された例について説明したが、それ以外の角度であってもよい。また、当て部材に係合突部の代わりに凹溝を設け、受け部材に凹溝の代わりに係合突部を設けてもよい。
【００２０】
本発明の家具用固定具は、室内家具の他、洗面台、キッチンキャビネット等の固定具として使用することができる。
【符号の説明】
【００２１】
１０    家具用固定具
１１    背板
１２    当て部材
１３    受け部材
１４    基台部
１５    係合突部
１６    凹溝
１７    係止壁
１８    固定壁
１９    係合溝
２０    返し爪
２１    ビス孔
２２    突条
２３    ビス孔
２４    ビス孔
２５    取付孔
２６    底板
２７    側板
２８    挿入溝
【図１】
2014033919.tif 000003
【図２】
2014033919.tif 000004
【図３】
2014033919.tif 000005
【図４】
2014033919.tif 000006
【図５】
2014033919.tif 000007
【図６】
2014033919.tif 000008
【図７】
2014033919.tif 000009
【図８】
2014033919.tif 000010
【図９】
2014033919.tif 000011
【図１０】
2014033919.tif 000012
【図１１】
2014033919.tif 000013
【図１２】
2014033919.tif 000014
【図１３】
2014033919.tif 000015
【図１４】
2014033919.tif 000016
【図１５】
2014033919.tif 000017
【図１６】
2014033919.tif 000018
【図１７】
2014033919.tif 000019
【図１８】
2014033919.tif 000020